(57)【要約】【課題】円板型ディスクカートリッジをディスクカメラのディスクホルダに装着する際、ディスクホルダへの挿入方向案内が不十分であり、傾いてディスクホルダに装着される恐れがあった。【解決手段】ディスクカートリッジには、凸あるいは凹あるいは印刷等による目印をディスクカートリッジの曲面をなす面上に配置し、ディスクカメラは、凸あるいは凹あるいは印刷等による目印を配置し、ディスクカートリッジをカートリッジホルダの適正位置に装着した際に、ディスクカメラの目印が、ディスクカートリッジの目印と相対する位置に来るようにディスクカメラの目印を配置し、カートリッジホルダにディスクカートリッジを装着した際に、それぞれの目印をディスクカメラ外部に露出させ、ディスクカメラの使用者が目印が適正な位置にあることを目視することで、ディスクカートリッジが正しく装着したことを確認できる構造とする。【選択図】  図３
2004213718.tif 000002
【特許請求の範囲】
【請求項１】
ディスクを記録媒体に使用したディスクカメラで、
ディスクは、ほぼ円板状をしたディスクカートリッジに内包された状態においてディスクカメラで使用され、
ディスクカメラは、ディスクカートリッジを装着するためのカートリッジ装着機構を有しており、
ディスクカートリッジは、凸あるいは凹あるいは印刷等による目印をディスクカートリッジの曲面をなす面上に有しており、
ディスクカメラは、凸あるいは凹あるいは印刷等による目印を有しており、
ディスクカートリッジをカートリッジ装着機構の適正位置に装着した際に、ディスクカメラの目印が、ディスクカートリッジの目印と相対する位置に来るようにディスクカメラの目印を配置しており、
カートリッジ装着機構にディスクカートリッジを装着した際に、それぞれの目印をディスクカメラ外部に露出させることで外部から目視可能とした構造としたことを特徴とするディスクカートリッジ。
【請求項２】
請求項１記載のディスクカートリッジにおいて、
ディスクカートリッジおよびディスクカメラに設けられた目印が三角状または棒状または矢印状になっており、
ディスクカートリッジをカートリッジ装着機構の適正位置に装着した際に、ディスクカメラの目印の１角が、ディスクカートリッジの目印の１角と最も近い位置に来るように配置したことを特徴とするディスクカートリッジ。
【請求項３】
請求項１記載のディスクカートリッジにおいて、
目印の形状が、ディスクカートリッジ側とディスクカメラ側で異なることを特徴とするディスクカートリッジ。
【請求項４】
ディスクを記録媒体に使用したディスクカメラで、
ディスクは、ほぼ円板状をしたディスクカートリッジに内包された状態においてディスクカメラで使用され、
ディスクカメラは、ディスクカートリッジを装着するためのカートリッジ装着機構を有しており、
ディスクカートリッジは、凸あるいは凹あるいは印刷等による目印をディスクカートリッジの曲面をなす面上に有しており、
ディスクカメラは、凸あるいは凹あるいは印刷等による目印を有しており、
ディスクカートリッジをカートリッジ装着機構の適正位置に装着した際に、ディスクカメラの目印が、ディスクカートリッジの目印と相対する位置に来るようにディスクカメラの目印を配置しており、
カートリッジ装着機構にディスクカートリッジを装着した際に、それぞれの目印をディスクカメラ外部に露出させることで外部から目視可能とした構造としたことを特徴とするディスクカメラ。
【請求項５】
請求項４記載のディスクカメラにおいて、
ディスクカートリッジおよびディスクカメラに設けられた目印が三角状または棒状または矢印状になっており、
ディスクカートリッジをカートリッジ装着機構の適正位置に装着した際に、ディスクカメラの目印の１角が、ディスクカートリッジの目印の１角と最も近い位置に来るように配置したことを特徴とするディスクカメラ。
【請求項６】
請求項４記載のディスクカメラにおいて、
目印の形状が、ディスクカートリッジ側とディスクカメラ側で異なることを特徴とするディスクカメラ。
【発明の詳細な説明】
【０００１】
【発明の属する技術分野】
本発明はディスク状の記録媒体を内包したディスクカートリッジおよびそれを使用するディスクカメラに関するものである。
【０００２】
【従来の技術】
光ディスクに代表されるディスク状の記録媒体は、ディスクカートリッジに内包して使用されることが多い。（例えば特許文献１）これは、ディスク面にゴミや傷、油脂などが付着して記録再生できなくなるのを防ぐためである。
【０００３】
従来のディスクカートリッジは、ほぼ方形をしている。（例えば特許文献１）記録再生装置にディスクカートリッジを装着する際には、記録再生装置に設けられたカートリッジ装着機構（以下ディスクホルダと称す）にディスクカートリッジを挿入して行うが、ディスクカートリッジ挿入方向に対して幅をなす面がディスクホルダの内面に沿って移動するため、ディスクホルダ内部に直線状に案内されて挿入されていく。また、図７に示すようにディスクホルダ１３の内部はディスクカートリッジ１１の幅より若干大きい程度に設定されているため、角部２１が存在する方形のディスクカートリッジ１１はディスクホルダ１３内部で回転することは出来ない構造になっている。
【０００４】
またこの他に、ディスクカートリッジには、ディスクカートリッジの１面を円弧状にしたものがある。（例えば特許文献２）このディスクカートリッジの場合もディスクカートリッジ挿入方向に対して幅をなす面の大部分は直線状になっているため前記従来例と同様、ディスクホルダに直線状に挿入されていく。またこのディスクカートリッジにも角部もあるためディスクホルダ内で回転することは出来ない構造になっている。
【０００５】
【特許文献１】
特開平６−２５１５３７号公報（第４−５頁、第１図、第３図）
【特許文献２】
特開平１０−６４２２６号公報（第１頁、第１図、第２図）
【０００６】
【発明が解決しようとする課題】
ディスクカートリッジが方形である場合、ディスクカートリッジの角部はディスクに対し不要な空間になっている。このため方形ディスクカートリッジは、内包するディスクに比べ容積が大きくなり小型化に不向きであった。
【０００７】
ディスクカートリッジを効率よく小型化する方法として、円板状にすることが考えられる。図１に示すディスクカートリッジ１はディスク２の直径より若干大きい程度の円板型ディスクカートリッジであり、角部がほとんど無いため内部に不要な空間がほとんどない構造になっている。また、円板型ディスクカートリッジ１はシャッタを設けておらず、ディスクカートリッジ１は開口部１０からディスク２が露出したままの構造になっている。
【０００８】
これは円板型ディスクカートリッジ１が使用者に対して記録媒体を面で取り扱うことが出来る部分を提供することを目的とした構造になっているためである。ディスク単体の場合、ディスク面を触らないようにするにはディスク外周や中央穴の端部を取り扱わなければならないのに対し、円板型ディスクカートリッジでは開口部１０以外のディスクカートリッジ面での取り扱いが可能になるため大幅に取り扱い性を向上できている。
【０００９】
この円板型ディスクカートリッジを使用する上で問題となるのがディスクカートリッジ装着時のディスクローダ内での規制である。図４からに図６により円板型ディスクカートリッジの装着時の問題点について説明する。
【００１０】
図４（ａ）は、円板型ディスクカートリッジ１をディスクホルダ３に適正な位置に装着した図である。図４（ａ）は簡単のためディスクホルダ３とディスクカートリッジ１の相対関係のみ図示したものである。ディスクカートリッジ１の幅、奥行きを考慮したディスクホルダ３がディスクカメラ８内に配置されており、ディスクカートリッジ１をディスクホルダ３の下面に突き当ててディスクカートリッジ１の装着は完了する構造になっている。このときディスクカートリッジ１はディスクホルダ３の下面および幅をなす面により保持されている。
【００１１】
これに対し、図５（ａ）、図６（ａ）は、ディスクカートリッジ１が傾いた状態でディスクホルダ３に装着した図である。円板型ディスクカートリッジ１は、角部が存在しないためディスクホルダの幅をなす直線部分でディスクカートリッジの姿勢を規制するのが難しい。ディスクカートリッジ１を図５（ａ）、図６（ａ）に示すようにディスクホルダ３に対して傾けた状態で挿入すると、円板状であるため多少傾いた状態であればディスクカートリッジ１はディスクホルダ３に挿入されていく。この状態で無理に装着完了するとディスクカートリッジ１やディスクホルダ３にたわみが生じ、図５（ａ）、図６（ａ）に示すような状態で固定される。このときディスクカートリッジ１がほぼ円板上であるため、使用者も不正な位置に装着されたことに気づくことが難しくなっている。このままで、ディスクカメラの取り扱いを続けると最悪の場合ディスクやディスクカメラを破壊する可能性がある。
【００１２】
【課題を解決するための手段】
ディスクカートリッジには、凸あるいは凹あるいは印刷等による目印をディスクカートリッジの曲面をなす面上に配置し、ディスクカメラは、凸あるいは凹あるいは印刷等による目印を配置し、ディスクカートリッジをカートリッジホルダの適正位置に装着した際に、ディスクカメラの目印が、ディスクカートリッジの目印と相対する位置に来るようにディスクカメラの目印を配置し、カートリッジホルダにディスクカートリッジを装着した際に、それぞれの目印をディスクカメラ外部に露出させ、ディスクカメラの使用者が目印が適正な位置にあることを目視することで、ディスクカートリッジが正しく装着したことを確認できる構造とする。
【００１３】
また、ディスクカートリッジおよびディスクカメラに設けられた目印が三角状になっており、ディスクカートリッジをカートリッジホルダの適正位置に装着した際に、ディスクカメラの三角目印の１角が、ディスクカートリッジの三角目印の１角と最も近い位置に来るように配置したことで目印同士が相対する位置に来たことを明示する。
【００１４】
また、ディスクカートリッジおよびディスクカメラに設けられた目印が棒状になっており、ディスクカートリッジをカートリッジホルダの適正位置に装着した際に、ディスクカメラの目印の１端が、ディスクカートリッジの目印の１端と最も近い位置に来るように配置したことで目印同士が相対する位置に来たことを明示する。
【００１５】
また、ディスクカートリッジおよびディスクカメラに設けられた目印が矢印状になっており、ディスクカートリッジをカートリッジホルダの適正位置に装着した際に、ディスクカメラの目印の先端が、ディスクカートリッジの目印の先端と最も近い位置に来るように配置したことで目印同士が相対する位置に来たことを明示する。
また、目印の形状が、ディスクカートリッジ側とディスクカメラ側で異ならせる。
【００１６】
【発明の実施の形態】
以下に本発明の実施例を図１〜図６により説明する。
図１〜図３は本発明の１実施例であるディスクカメラおよびディスクカートリッジの概観を示した図である。
【００１７】
図１はディスクカメラ８に対してディスク１が外部にある状態を示した図である。円板型ディスクカートリッジを使用する場合、角部がほとんど無くディスク単体状態と大きさがほとんど変わらないためディスクカメラ８の大きさも小型化を図ることが出来る。また、ディスクカートリッジ１には記録媒体であるディスク２を内包している。このディスクカートリッジ１には、ディスクカメラ８内に適正に装着されていることを確認するためのディスクカートリッジ目印４が三角と棒状の組み合わせで形成されている。
【００１８】
図２はディスクカメラ８のディスクカートリッジカバー６を開きカートリッジ挿入口９を開いた状態を示した図である。ディスクカメラ８はディスクカメラ本体７に対し、ディスクカートリッジカバー６をディスクカメラ８下部を回動支点として回転させ、ディスク挿入口９を開閉できる構造になっている。ディスク挿入口９からは、ディスクホルダ３が露出し、この部分にディスクカートリッジ１を装着できる構造になっている。また、ディスクカートリッジカバー６にはディスクカートリッジ１が適正に装着されていることを確認するためのディスクカメラ目印４が三角形で形成されている。
【００１９】
図３はディスクカメラ８のディスクホルダ３にディスクカートリッジ１を装着した状態を示した図である。ディスクホルダ３にディスクカートリッジ１を適正に装着した場合、ディスクカートリッジ目印４の棒状先端部とディスクカメラ目印５の角部が最接近するようにそれぞれの目印の位置が調整されて配置されており、外部から確認できるようになっている。使用者は、目印を目視することで、ディスクカートリッジ１がディスクホルダ３に適正に装着できたことを確認できる。
【００２０】
図４〜図６によりディスクホルダにディスクカートリッジを装着した際の、ディスクカートリッジ目印とディスクカメラ目印の相対位置関係について示す。図４〜図６はディスクカメラ８にディスクカートリッジ１を装着した状態を簡略化して示した図であり、図４（ａ）〜図６（ａ）は、ディスクホルダ３に対するディスクカートリッジ１の相対関係を示した図である。また図４（ｂ）〜図６（ｂ）は、それぞれ図４（ａ）〜図６（ａ）に対応した状態の装着状態をディスクカメラ８後方より見た図である。
【００２１】
図４は、ディスクカートリッジ１をディスクホルダ３に適正に取り付けた状態を示した図である。このとき、図４（ｂ）に示すようにディスクカートリッジ目印４である棒状先端部とディスクカメラ目印５である角部が最接近するようになっている。ディスクカメラ使用者は、この目印によりディスクカートリッジが正しく装着されたことを認識できる。
【００２２】
図５は、ディスクカートリッジ１を正しい位置に対し、開口部１０側が上になるように傾けて装着した状態を示した図である。ディスクカートリッジ１は円板状であるため、多少傾いた形でディスクホルダ３に挿入された場合でもディスクホルダ３に装着される。この状態では図５（ｂ）に示すように、ディスクカートリッジ目印４はディスクカメラ目印５に対し、下方に位置することになる。ディスクカメラ使用者は、目印にずれが生じていることを確認できるためディスクカートリッジが誤って装着されたことを認識し、改めて装着しなおすことが出来る。
【００２３】
また図６は、ディスクカートリッジ１を正しい位置に対し、開口部１０側が下になるように傾けて装着した状態を示した図である。この場合でも円板状ディスクカートリッジではディスクホルダ３に装着されることがある。この状態では図６（ｂ）に示すように、ディスクカートリッジ目印４はディスクカメラ目印５に対し、上方に位置することになる。この場合もディスクカメラ使用者は、目印にずれが生じていることを確認できるためディスクカートリッジが誤って装着されたことを認識し、改めて装着しなおすことが出来るようになっている。
【００２４】
なお、ディスクカートリッジ目印とディスクカメラ目印の形状は、三角状や棒状、あるいは矢印状などでもよい。またこの形状に限ることなく、２つの目印が相対することが使用者に認識できる形状であればよい。またディスクカートリッジ目印とディスクカメラ目印とで異なる形状でもよい。
【００２５】
【発明の効果】
上記の構成により、ほぼ円板上をしたディスクカートリッジを使用するディスクカメラにおいて、ディスクカートリッジの装着状態が外部から簡単な方法で確認できるため、誤装着を減らすことが出来、信頼性をあげることが出来る。
【図面の簡単な説明】
【図１】本発明の実施例を示した図で、ディスクカメラにディスクカートリッジを装着する前の概観図である。
【図２】本発明の実施例を示した図で、カートリッジ挿入口を開口し、カートリッジホルダを露出することでディスクカートリッジの装着可能な状態にした図である。
【図３】本発明の実施例を示した図で、カートリッジ挿入口を開口し、カートリッジホルダにディスクカートリッジを装着した図である。
【図４】本発明の実施例を示した図で、カートリッジホルダの適正位置にディスクカートリッジを装着した時のディスクカートリッジの目印とディスクカメラの目印の相対位置を示した図である。
【図５】本発明の実施例において、カートリッジホルダの適正位置に対して、ディスクカートリッジを傾けた状態でディスクカートリッジを装着した時のディスクカートリッジの目印とディスクカメラの目印の相対位置を示した図である。
【図６】本発明の実施例において、カートリッジホルダの適正位置に対して、ディスクカートリッジを傾けた状態でディスクカートリッジを装着した時のディスクカートリッジの目印とディスクカメラの目印の相対位置を示した図である。
【図７】従来の方形形状のディスクカートリッジをディスクホルダに装着した状態を示した図である。
【符号の説明】
１…ディスクカートリッジ、２…ディスク、３…ディスクホルダ、
４…ディスクカートリッジ目印、５…ディスクカメラ目印、
６…ディスクカートリッジカバー、７…ディスクカメラ本体、８…ディスクカメラ、
９…カートリッジ挿入口、１０…開口部、１１…方形ディスクカートリッジ、
１２…ディスク、１３…方形用ディスクホルダ、２０…開口部、２１…角部。
【図１】
2004213718.tif 000003
【図２】
2004213718.tif 000004
【図３】
2004213718.tif 000005
【図４】
2004213718.tif 000006
【図５】
2004213718.tif 000007
【図６】
2004213718.tif 000008
【図７】
2004213718.tif 000009